(57)【特許請求の範囲】
【請求項１】
ソース電気通信ネットワークのソースＲＡＴによってカバーされているソースエリアと、ターゲット電気通信ネットワークのターゲットＲＡＴによってカバーされているターゲットエリアとの間のＵＥローミングのためのＲＡＴ間切り換え後のモビリティシグナリングの低減を最適化するための方法であって、シグナリング低減機能が前記ソース電気通信ネットワークによってアクティブにされ、前記シグナリング低減機能の非アクティブ化トリガーイベントによって次のＩＲＡＴ切り換え発生時の登録更新の必要性が生じ、該方法は以下のステップ、すなわち
ａ．前記ＵＥに、その値が、前記シグナリング低減機能の前記非アクティブ化トリガーイベントが前記ソースＲＡＴにおけるＵＥコンテキスト変更のみに対応するか否かを示すパラメーターを格納するステップと、
前記ＲＡＴ間切り換え後に、
ｂ．前記ＲＡＴ間切り換えを生じた前記イベントをチェックするステップと、
ｃ．前記パラメーターの前記値をチェックするステップと、
ｄ．前記ＲＡＴ間切り換えを生じた前記イベント及び前記格納されたパラメーターの前記値に依拠して、前記登録更新の必要性を取り消すか又は該登録更新の必要性を有効にするステップと、
によって特徴付けられる、方法。
【請求項２】
前記ＲＡＴ間切り換えを生じたイベントが前記ターゲットＲＡＴのＣＮノードに既に登録されたエリアへのハンドオーバーである場合、かつ前記格納されたパラメーターの前記値が、前記シグナリング低減機能の前記非アクティブ化トリガーイベントが前記ソースＲＡＴにおける前記ＵＥコンテキスト変更のみに対応することを示す場合、前記登録更新の必要性を取り消すことにある、請求項１に記載の方法。
【請求項３】
前記ＲＡＴ間切り換えを生じたイベントが前記ターゲットＲＡＴのＣＮノードにまだ登録されていないエリアへのハンドオーバーである場合、前記登録更新の必要性を有効にすることにある、請求項１に記載の方法。
【請求項４】
前記ＲＡＴ間切り換えを生じたイベントがアイドルモードセル再選択である場合、前記登録更新の必要性を有効にすることにある、請求項１に記載の方法。
【請求項５】
前記ＲＡＴ間切り換えの前に、前記シグナリング低減機能は、前記ＵＥに格納されたＴＩＮパラメーターの値に従ってアクティブ状態又は非アクティブ状態のいずれかにある、請求項１に記載の方法。
【請求項６】
前記ＲＡＴ間切り換えの前に、前記シグナリング低減機能が前記ＵＥにおいてローカルで非アクティブである場合、該ＵＥはＴＩＮパラメーターを前記アクティブ状態に対応する値にセットすることによって前記シグナリング低減機能をローカルで再アクティブにし、前記ＲＡＴ間切り換え後の前記登録更新の必要性を取り消す、請求項２又は５に記載の方法。
【請求項７】
前記シグナリング低減機能が前記ＵＥにおいてローカルでアクティブである場合、かつ前記非アクティブ化トリガーイベントを示す前記パラメーターの値が前記シグナリング低減機能の前記非アクティブ化トリガーイベントが前記ソースＲＡＴにおける前記ＵＥコンテキスト変更にのみ対応することを示す場合、前記ＵＥは、前記ＴＩＮパラメーターを前記非アクティブな状態に対応する値に設定することによって前記シグナリング低減機能をローカルで非アクティブにし、前記登録更新の必要性を有効にする、請求項３、４、及び５のいずれか１項に記載の方法。
【請求項８】
前記登録更新の必要性を取り消すか又は有効にした後に前記非アクティブ化トリガーイベントを示す前記パラメーターを再セットすることにあるステップをさらに含む、請求項１〜７のいずれか１項に記載の方法。
【請求項９】
前記ソース電気通信ネットワークはＥ−ＵＴＲＡＮ  ＲＡＴを有する３ＧＰＰ発展型パケットシステムコアネットワーク（それぞれＧＥＲＡＮ  ＲＡＴ又はＵＴＲＡＮ  ＲＡＴを有する３ＧＰＰ  ＧＰＲＳコアネットワーク）であり、前記ターゲット電気通信ネットワークはＧＥＲＡＮ  ＲＡＴ又はＵＴＲＡＮ  ＲＡＴを有する３ＧＰＰ  ＧＰＲＳコアネットワーク（それぞれＥ−ＵＴＲＡＮ  ＲＡＴを有する３ＧＰＰ発展型パケットシステムコアネットワーク）である、請求項１に記載の方法。
【請求項１０】
前記非アクティブ化トリガーイベントを示す前記パラメーターを、次のＩＲＡＴ切り換え時の登録更新の必要性が生じる前記シグナリング低減機能の前記非アクティブ化トリガーイベントが、さらなるベアラの変更又はアクティブ化の結果生じる、前記ソースＲＡＴにおける前記ＵＥコンテキスト変更のみに対応することを示す値にセットするステップを含む、請求項１に記載の方法。
【請求項１１】
前記非アクティブ化トリガーイベントを示す前記パラメーターを、次のＩＲＡＴ切り換え時の登録更新の必要性が生じる前記シグナリング低減機能の前記非アクティブ化トリガーイベントが、前記ソースＲＡＴ  ＣＮノードをＵＥ固有のＤＲＸパラメーターの変更に関して更新し、他方のＲＡＴにおける前記ＣＮノードが次のＩＲＡＴ切り換え時に更新されることを保証する結果生じる、前記ソースＲＡＴにおける前記ＵＥコンテキスト変更のみに対応することを示す値にセットするステップを含む、請求項１に記載の方法。
【請求項１２】
前記非アクティブ化トリガーイベントを示す前記パラメーターを、次のＩＲＡＴ切り換え時の登録更新の必要性が生じる前記シグナリング低減機能の前記非アクティブ化トリガーイベントが、前記ソースＲＡＴ  ＣＮノードをＵＥコアネットワーク機能の変更に関して更新し、他方のＲＡＴにおける前記ＣＮノードも次のＩＲＡＴ切り換え時に更新されることを保証する結果生じる、前記ソースＲＡＴにおける前記ＵＥコンテキスト変更のみに対応することを示す値にセットするステップを含む、請求項１に記載の方法。
【請求項１３】
前記ＵＥがＧＥＲＡＮ／ＵＴＲＡＮとＥ−ＵＴＲＡＮとの間で以前に登録されたエリアへのシステム間ハンドオーバーを実行し、かつ該ＵＥが、ＧＥＲＡＮ／ＵＴＲＡＮにおけるＰＤＰコンテキスト（それぞれＥ−ＵＴＲＡＮにおけるＥＰＳベアラコンテキスト）のアクティブ化又は変更、ＵＥ固有のＤＲＸパラメーター又はＵＥコアネットワーク機能パラメーターの変更に伴うＧＥＲＡＮ／ＵＴＲＡＮにおけるルーティングエリア更新（それぞれＥ−ＵＴＲＡＮにおけるトラッキングエリア更新）の結果としてのみローカルでＩＳＲを非アクティブにした場合、前記ＵＥは該ＵＥのＴＩＮを「ＲＡＴ関連ＴＭＳＩ」にセットすることによってＩＳＲをローカルで再アクティブにする、請求項６、９、１０、１１、及び１２のいずれか１項に記載の方法。
【請求項１４】
前記ＲＡＴ間切り換えを生じたイベントが新たなエリアへのハンドオーバー又はアイドルモードセル再選択である場合、かつ前記シグナリング低減機能の前記非アクティブ化トリガーイベントがＧＥＲＡＮ／ＵＴＲＡＮにおけるＰＤＰコンテキスト（それぞれＥ−ＵＴＲＡＮにおけるＥＰＳベアラコンテキスト）のアクティブ化又は変更、ＵＥ固有のＤＲＸパラメーター又はＵＥコアネットワーク機能パラメーターの変更に伴うＧＥＲＡＮ／ＵＴＲＡＮにおけるルーティングエリア更新（それぞれＥ−ＵＴＲＡＮにおけるトラッキングエリア更新）にのみ対応する場合、ＵＥはＩＳＲをローカルで非アクティブにし、これにより登録を開始する、請求項７、９、１０、１１、及び１２のいずれか１項に記載の方法。
【請求項１５】
ソース電気通信ネットワークのソースＲＡＴによってカバーされているソースエリアと、ターゲット電気通信ネットワークのターゲットＲＡＴによってカバーされているターゲットエリアとの間のＲＡＴ間切り換えによって生じるモビリティシグナリングを低減する手段を備えるユーザー機器であって、
ａ．その値が、次のＩＲＡＴ切り換え時の登録更新の必要性を生じるシグナリング低減機能の非アクティブ化トリガーイベントが前記ソースＲＡＴにおける前記ＵＥコンテキスト変更のみに対応するか否かを示すパラメーターを格納する手段と、
ｂ．前記ＲＡＴ間切り換えを生じたイベントをチェックする手段と、
ｃ．前記格納されたパラメーターの前記値をチェックする手段と、
ｄ．前記ＲＡＴ間切り換えを生じたイベント及び前記格納されたパラメーターの値に依拠して、前記登録更新の必要性を取り消すか又は該登録更新の必要性を有効にする手段と、
をさらに備えることを特徴とする、ユーザー機器。
【発明の詳細な説明】
【技術分野】
【０００１】
本発明は、電気通信分野に関し、ソースＲＡＴを有するソース電気通信コアネットワークによってカバーされているソースエリアと、ターゲットＲＡＴを有するターゲットコア電気通信ネットワークによってカバーされているターゲットエリアとの間のＵＥローミングのためのＲＡＴ間切り換え後のモビリティシグナリングの低減を最適化するための方法であって、シグナリング低減機能がソース電気通信コアネットワークによってアクティブにされ、該シグナリング低減機能の非アクティブ化トリガーイベントによって、次のＩＲＡＴ切り換え発生時の登録更新の必要性が生じる、方法に関する。
【０００２】
本発明は、上記方法を実施するように構成されるユーザー機器にも関する。
【０００３】
本出願は、２００９年１月３０日に出願された欧州特許出願第０９１５１８１８．３号に基づき、該特許出願からの優先権の利益を主張するものであり、該特許出願の開示は参照によりその全体が本明細書に援用される。
【背景技術】
【０００４】
ＧＥＲＡＮ／ＵＴＲＡＮ（２Ｇ／３Ｇ）アクセスを用いる３ＧＰＰパケットネットワークにおいて、ＵＥはアタッチ又はルーティングエリア手順を介してコアネットワーク要素ＳＧＳＮに登録される。ＳＧＳＮはＵＥコンテキスト（モバイルアイデンティティ、セキュリティパラメーター）を保持し、ルーティングエリアの精度でユーザー機器（ＵＥ）のロケーションを知っている。ＵＥは、周期タイマーが満了しない限り、ルーティングエリア更新手順を開始することなく、登録されたＲＡ（ルーティングエリア）内で自由に移動することができる。
【０００５】
同様に、Ｅ−ＵＴＲＡＮ（ＬＴＥ）を用いる３ＧＰＰパケットネットワークにおいて、ＵＥはアタッチ又はトラッキングエリア手順を介してコアネットワーク要素ＭＭＥに登録される。ＭＭＥはＵＥコンテキスト（モバイルアイデンティティ、セキュリティパラメーター）を保持し、トラッキングエリアのリストの精度でＵＥのロケーションを知っている。ＵＥは、周期タイマーが満了しない限り、トラッキングエリア更新手順を開始することなく、ＴＡ（トラッキングエリア）の登録されたリスト内で自由に移動することができる。
【０００６】
ＧＥＲＡＮ又はＵＴＲＡＮ機能を有するＥ−ＵＴＲＡＮ  ＵＥについて、該ＵＥがＧＥＲＡＮ／ＵＴＲＡＮアクセスとＥ−ＵＴＲＡＮアクセスとの間で再選択する場合、該ＵＥは、ＥＵＴＲＡＮアクセスを抜けてＧＥＲＡＮ／ＵＴＲＡＮに向かうとき、ＳＧＳＮに登録するためにルーティングエリア更新を開始し、ＧＥＲＡＮ／ＵＴＲＡＮアクセスを抜けてＥＵＴＲＡＮアクセスに向かうとき、ＭＭＥに登録するためにトラッキングエリア更新を開始する。
【０００７】
３ＧＧＰは、ＵＥがＥＵＴＲＡＮとＧＥＲＡＮ／ＵＴＲＡＮとの間で移動するときのモビリティ関連シグナリング、すなわちＲＡＵ／ＴＡＵ手順を低減するための、アイドルモードシグナリング低減（ＩＳＲ）と呼ばれるメカニズムを規定している。
【０００８】
図１において、ＩＳＲ機能がアクティブにされ、このためＵＥ２が、ＥＵＴＲＡＮアクセスネットワーク（ＬＴＥ）６を介してＭＭＥ４によって管理されるトラッキングエリアのリスト、及びＧＥＲＡＮ／ＵＴＲＡＮアクセスネットワーク（２Ｇ／３Ｇ）１０のＳＧＳＮ８によって管理されるルーティングエリアの双方に同時に登録されていると仮定する。
【０００９】
ＩＳＲ機能がネットワークによってアクティブにされる場合、ＭＭＥ４及びＳＧＳＮ８の双方が互いに同期したＵＥコンテキスト１２を保持する。そして、ＵＥ２はＥＵＴＲＡＮにおける登録されたトラッキングエリア（ＴＡ）のリストとＧＥＲＡＮ／ＵＴＲＡＮ１における登録されたルーティングエリア（ＲＡ）との間で、ＭＭＥ４又はＳＧＳＮ８に向けて登録更新を一切開始する必要なく自由に移動することができる。
【００１０】
ＩＳＲは、ＵＥがＥＵＴＲＡＮ登録エリアとＧＥＲＡＮ／ＵＴＲＡＮ登録エリアとの間でアイドルモードによって再選択するときのモビリティ関連シグナリングを低減する。ＩＳＲはネットワークにおけるシグナリング負荷の低減を達成し、ＵＥがアイドルモードにとどまり、したがってバッテリを節減することを可能にする。
【００１１】
図２において、ＵＥがＥＵＴＲＡＮ（ＬＴＥ）アクセスネットワーク６を介してＭＭＥ４によって管理されるトラッキングエリアのリストに登録され、かつＩＳＲ機能がネットワークによってアクティブにされていないと仮定する。ＵＥ２は、ターゲット無線アクセス技術（ＲＡＴ）２Ｇ／３Ｇ１０に移動する場合、ターゲット２Ｇ／３Ｇネットワーク１０において登録更新手順（ルーティングエリア更新ＲＡＵ）を実行し、ＩＳＲサポートネゴシエーション及びＭＭＥ４とＳＧＳＮ８との間のＵＥコンテキスト同期（矢印１６）をトリガーする。
【００１２】
ターゲットコアネットワーク（ＣＮ）ノード（ＳＧＳＮ８）によってＩＳＲ機能がアクティブにされる場合、ネットワークは登録更新（ＲＡＵ）受理メッセージにおいてＵＥ２に「ＩＳＲアクティブ」を示す。ＵＥ２はＧＥＲＡＮ／ＵＴＲＡＮアクセスネットワークを介して２Ｇ／３Ｇネットワーク１０のＳＧＳＮ８によって管理されるターゲットルーティングエリアに登録され、かつソースＬＴＥネットワーク６のＥＵＴＲＡＮアクセスネットワークを介してＭＭＥ４によって以前に割り当てられたトラッキングエリアのリスト内にも登録されたままである。ＭＭＥ４によってＩＳＲがアクティブにされる場合、ネットワークはＴＡＵ受理において「ＩＳＲアクティブ」を示す。
【００１３】
図３において、ＵＥ２がソースＬＴＥネットワーク６のセル内にとどまっており、かつＩＳＲ機能がアクティブにされていると仮定する。
【００１４】
ＵＥ２、及び現在用いられているＲＡＴ、すなわちＵＥがとどまっているＲＡＴのコアネットワーク要素（ＥＵＴＲＡＮアクセスネットワーク６のＭＭＥ４）においてＵＥコンテキストが変更される場合、現在用いられていないＲＡＴのコアネットワーク要素（２Ｇ／３Ｇネットワーク１０のＳＧＳＮ８）におけるＵＥコンテキストが同期されなくなる。
【００１５】
ＵＥ２と、ＭＭＥ４と、ＳＧＳＮ８との間のそのようなＵＥコンテキストの非同期は、ベアラコンテキスト（２Ｇ３ＧにおけるＰＤＰコンテキスト又はＬＴＥにおけるＥＰＳベアラコンテキスト）が追加若しくは変更されるとき、又はＵＥがＵＥ固有のＤＲＸパラメーターのようなＭＭコンテキストパラメーター若しくはＵＥコアネットワーク機能を変更するときに生じる。
【００１６】
ＵＥ２がターゲット２Ｇ／３Ｇネットワーク１０に戻る場合、ＳＧＳＮ８内のＵＥコンテキストはＭＭＥ４のＵＥコンテキストと再同期され、ＵＥ２が確立されたサービス（パケット、セキュリティ．．．）を維持することを可能にする。
【００１７】
ＵＥコンテキストがＵＥにおける一方のＲＡＴ及びこのＲＡＴのＣＮノードにおいて変更され、他方のＲＡＴのＣＮノードにおけるＵＥコンテキストの非同期を引き起こすそのような特殊な状況は、現在の３ＧＰＰ仕様において、ＵＥにおいてローカルにＩＲＳを非アクティブ化することにより、次のＩＲＡＴ切り換え時の登録変更の必要性が生じ、それによって他方のＲＡＴにおけるＣＮノードがＵＥコンテキスト再同期を介して次のＲＡＴ間（ＩＲＡＴ）切り換え時に更新されることを保証することにより解消される。
【００１８】
この再同期を強制するために、ＵＥ２はＲＡＴ（図２の例ではＥＵＴＲＡＮ６）におけるＩＳＲ手順をローカルで非アクティブにし、ここでＵＥコンテキストは、ＵＥ２がターゲットＲＡＴ（ＧＥＲＡＮ／ＵＴＲＡＮ１０）に戻るときに登録更新手順が強制的に開始されるように変更される。登録更新手順中、ソースＲＡＴ  ＭＭＥ４のＵＥコンテキストはターゲットＲＡＴ  ＳＧＳＮ８に転送される。
【００１９】
アイドルモードにおいて、ＵＥ２がソースＲＡＴとターゲットＲＡＴとの間で再選択すると、ソースＲＡＴ  ＣＮノードからターゲット  ＲＡＴ  ＣＮノードへのＵＥコンテキスト転送は、ＵＥ２によって開始されるターゲットＲＡＴにおける登録更新手順中に実行される。
【００２０】
３ＧＰＰ２３．４０１  ５．３．３（ＴＡＵ手順）に記載されているように、ＵＥによるＲＡＴ間セル再選択によってＴＡＵがトリガーされると、ターゲットＲＡＴコアネットワーク（ＣＮ）ノードは、コンテキスト要求メッセージを用いて、ソースＲＡＴ  ＣＮノードからＵＥコンテキスト及びＩＳＲサポートをフェッチし、コンテキスト応答メッセージにおいて受信すると、コンテキスト肯定応答メッセージにおいてＩＳＲアクティブ状態をソースＲＡＴ  ＣＮノードに提供する。
【００２１】
３ＧＰＰは最初に、ＵＥ２がアイドルモードにおいて移動し、登録されたエリア内のＥ−ＵＴＲＡＮセルとＧＥＲＡＮ／ＵＴＲＡＮセルとの間で再選択するときのアイドルモードのためのシグナリング低減を設計した。そして、３ＧＧＰはアイドルモードのＩＳＲ手順を接続モードに拡張した。
【００２２】
実際、３ＧＰＰ２３．４０１  ４．６．３．２（ＥＣＭ接続モード）によって規定されているように、接続モードのＵＥは、アイドルモードの挙動と同様に、ＴＩＮが「ＰＴＭＳＩ」に設定されている場合、すなわちＩＳＲが非アクティブにされている場合のみ、登録されたトラッキングエリア内でＴＡＵ手順を開始する。
【００２３】
この拡張によって、ＩＳＲがアクティブにされておりかつＵＥ２が登録されたエリア内でハンドオーバーされるとき、ＵＥ２は接続モードにおいてＴＡＵ／ＲＡＵを省くことが可能になる。
【００２４】
したがって、アイドルモードにおけるＲＡＴ間セル再選択に関して図１で説明されるシグナリング低減は、ＲＡＴ間ハンドオーバーの場合にも適用される。
【００２５】
さらに、３ＧＰＰ２３．４０１  ５．５．２（ＲＡＴ間ハンドオーバー）によって規定されるように、ソースＲＡＴ  ＣＮノードとターゲットＲＡＴ  ＣＮノードとの間のＩＳＲアクティブ化ネゴシエーション及びＵＥコンテキスト同期は、ＲＡＴ間ハンドオーバー中に実行される（図４）。これは、ＩＳＲアクティブ化ネゴシエーション及びＵＥコンテキスト同期が、ＵＥ２によって開始されたＴＡＵ／ＲＡＵ手順中に実行されるアイドルモード（図２）と同様である。
【００２６】
ネットワークによって開始されたＲＡＴ間ハンドオーバー中（図４）、３ＧＰＰ２３．４０１  ５．５．２（ＲＡＴ間ハンドオーバー）に記載されているように、ＵＥコンテキスト及びＩＳＲサポートは、転送再配置要求メッセージを用いてソースＲＡＴ  ＣＮノードによってターゲットＲＡＴ  ＣＮノードにプッシュされ、ターゲットＲＡＴ  ＣＮノードは転送再配置完了メッセージにおいてＩＳＲアクティブステータスをソースＲＡＴ  ＣＮノードに返す。ＵＥ２がターゲットＲＡＴにおいて登録更新手順を実行する（たとえばＵＥがターゲットＲＡＴにおける登録されたエリア外に移動する）場合、ＣＮノード間のＵＥコンテキスト転送のない低減された登録更新がネットワーク内で行われる。なぜなら、ＵＥコンテキスト転送は既にハンドオーバー手順中に行われたためである。
【００２７】
図４において、ＵＥ２がＲＡＴ間（ＩＲＡＴ）ハンドオーバーを介してＬＴＥネットワーク６（ソースＲＡＴ）から２Ｇ／３Ｇネットワーク１０（ターゲットＲＡＴ）に移動すると仮定する。この場合、ＭＭＥ４内に格納されたＵＥコンテキスト１２が、ハンドオーバー手順中にＳＧＳＮ８に転送される。したがって、ＲＡＴ間ハンドオーバーの後、ＳＧＳＮ８及びＭＭＥ４内に格納されているＵＥコンテキストはネットワーク内で再同期される。次に、ＩＳＲ機能がネットワークによってアクティブにされていなかった場合、又はＵＥ２がＩＳＲ手順をローカルで非アクティブにしていた場合、又はターゲットＲＡＴにおける標準的なトリガーが発生した場合（たとえば新たなエリアがまだ登録されていない．．．）ハンドオーバー手順後に、ターゲットＲＡＴにおける登録更新が実行される。
【００２８】
ＩＳＲ機能は、主にアイドルモードにおけるシステム間切り換え時のモビリティシグナリングを低減するために設計されたが、システム間ハンドオーバーにおけるシグナリング低減も達成する。３ＧＰＰ２３．４０１のように、ＵＥが１つのＲＡＴ、すなわちソースＲＡＴにとどまる間、ＵＥコンテキスト（ベアラコンテキスト、ＤＲＸ固有パラメーター、ＵＥコアネットワーク機能）の変更によって、ＵＥ、ＳＧＳＮ、及びＭＭＥ間で非同期状態情報が生じる。この特殊な状況は、ソースＲＡＴにおけるＣＮノードが、次のＩＲＡＴセル再選択時にＵＥによって開始される登録更新手順中に、コンテキスト応答メッセージ内でターゲットＲＡＴのＣＮノードに最新のＵＥコンテキストを転送することを保証するために、ＵＥにおいてローカルにＩＳＲを非アクティブ化することで解消される。
【００２９】
しかしながら、ＲＡＴ間切り換えがハンドオーバーである場合、ソースＲＡＴからのＣＮノードは、ハンドオーバー手順中に転送再配置要求メッセージにおいてターゲットＲＡＴのＣＮノードにＵＥコンテキストを既に転送している。
【００３０】
したがって、図５に示すように、ＩＳＲ機能がネットワークによってアクティブにされ、かつソースＲＡＴにおけるＵＥコンテキスト変更（矢印２０）の結果としてのみＵＥ２内でローカルに非アクティブにされているとき、ＵＥ２は２Ｇ／３Ｇネットワーク１０に移動するときに登録更新（矢印２２）を実行し、このためシグナリングは低減されない。
【００３１】
そのような状況において、この登録更新は、ＩＲＡＴ切り換えがハンドオーバーであり、かつターゲットセルが以前に登録されたエリアに属するときに不要となる。なぜなら、ＣＮノードのＭＭＥ及びＳＧＳＮは変更されず、ターゲットＣＮノードＳＧＳＮ８は、ハンドオーバー手順中に転送再配置要求メッセージにおいてソースＣＮノードＭＭＥ４からＵＥコンテキストを既に受信しているためである。
【００３２】
実際、ＵＥコンテキスト変更に起因してＩＳＲがソースＲＡＴにおいてローカルで非アクティブにされていた場合にターゲットＲＡＴにおけるＣＮノードを再同期するためにターゲットＲＡＴにおける登録更新が必要とされるアイドルモード（図３）とは対照的に、接続モードの場合のＵＥコンテキストは、任意の登録更新が開始する前にハンドオーバー手順中に既に再同期されている（図４）。このため、ＵＥが以前に登録されたエリアにハンドオーバーされ、かつＩＳＲが次のＩＲＡＴ切り換え時にターゲットＲＡＴのＣＮノードにおけるＵＥコンテキストを更新するという理由のみでＵＥにおけるソースＲＡＴにおいて非アクティブにされていた場合、登録更新手順はＵＥコンテキスト同期の目的では必要とされない。
【００３３】
ＩＳＲローカル非アクティブ化の多数のトリガー、たとえばベアラコンテキスト変更、ＤＲＸパラメーターの切り換え、ＵＥ  ＣＮ機能の切り換えが３ＧＰＰによって規定されており、このためＩＳＲによって目標とされるシグナリング低減の効率が低減している。
【発明の概要】
【発明が解決しようとする課題】
【００３４】
本発明は、ＩＳＲがネットワークによってアクティブにされ、かつ次のＩＲＡＴ切り換え時の登録更新の必要性が生じるソースＲＡＴにおけるＩＳＲ非アクティブ化のトリガーイベントがソースＲＡＴにおけるＵＥコンテキスト変更にのみ対応する場合、及びＵＥがソース電気通信ネットワークによってカバーされるソースエリアからターゲット電気通信ネットワークによって既にカバーされている登録されたターゲットエリアに戻るようにハンドオーバーされる場合に、ＲＡＴ間ハンドオーバーの場合のシグナリング低減の効率を改善することを目的とする。
【課題を解決するための手段】
【００３５】
本発明の目的は、ソースＲＡＴを有するソース電気通信コアネットワークによってカバーされているソースエリアと、ターゲットＲＡＴを有するターゲットコア電気通信ネットワークによってカバーされているターゲットエリアとの間のＵＥローミングのためのＲＡＴ間切り換え後のモビリティシグナリングの低減を最適化するための方法であって、シグナリング低減機能が前記ソース電気通信コアネットワークによってアクティブにされ、前記シグナリング低減機能の非アクティブ化トリガーイベントによって次のＩＲＡＴ切り換え発生時の登録更新の必要性が生じる、方法によって達成される。
【００３６】
本発明による方法は以下のステップ、すなわち
ａ．前記ＵＥに、その値が、前記シグナリング低減機能の前記非アクティブ化トリガーイベントが前記ソースＲＡＴにおける前記ＵＥコンテキスト変更のみに対応するか否かを示すパラメーターを格納するステップと、
前記ＲＡＴ間切り換え後に、
ｂ．前記ＲＡＴ間切り換えを生じた前記イベントをチェックするステップと、
ｃ．前記パラメーターの前記値をチェックするステップと、
ｄ．前記ＲＡＴ間切り換えを生じた前記イベント及び前記格納されたパラメーターの前記値に依拠して、前記登録更新の必要性を取り消すか又は該登録更新の必要性を有効にするステップと、
を含む。
【００３７】
本発明の第１の実施の形態では、本方法は、前記ＲＡＴ間切り換えを生じたイベントが前記ターゲットＲＡＴの前記ＣＮノードに既に登録されたエリアへのハンドオーバーである場合、かつ前記シグナリング低減機能の前記非アクティブ化トリガーイベントが前記ソースＲＡＴにおける前記ＵＥコンテキスト変更のみに対応する場合、前記登録更新の必要性を取り消す、ステップを含む。
【００３８】
本発明の第２の実施の形態では、本方法は、前記ＲＡＴ間切り換えを生じたイベントが前記ターゲットＲＡＴの前記ＣＮノードにまだ登録されていないエリアへのハンドオーバーである場合、前記登録更新の必要性を有効にする、ステップを含む。
【００３９】
本発明の第３の実施の形態では、本方法は、前記ＲＡＴ間切り換えを生じたイベントがアイドルモードセル再選択である場合、前記登録更新の必要性を有効にする、ステップを含む。
【００４０】
前記ＲＡＴ間切り換えの前に、前記シグナリング低減機能は、前記ＵＥに格納されたＴＩＮパラメーターの値に従ってアクティブ状態又は非アクティブ状態のいずれかにある。
【００４１】
本発明の第１の変形形態では、前記シグナリング低減機能が、前記ネットワークによって以前にアクティブにされ、かつ後に、次のＩＲＡＴ切り換え時の登録更新の必要性を生じる前記シグナリング低減非アクティブ化の１つ又は複数のトリガーイベント発生に起因して前記ＲＡＴ間切り換えの前に前記ＵＥにおいてローカルで非アクティブにされる場合、前記ＵＥは、ＴＩＮパラメーターを前記アクティブ状態に対応する値にセットすることによって前記シグナリング低減機能をローカルで再アクティブにし、前記ＲＡＴ間切り換え後の前記登録更新の必要性を取り消す。そして、前記ＲＡＴ間切り換え後、前記ＵＥは、登録更新の必要性を有効にするために前記シグナリング低減機能を非アクティブに維持する。
【００４２】
本発明の第２の変形形態において、前記シグナリング低減機能が、次のＩＲＡＴ切り換え時の登録更新の必要性を生じる前記シグナリング低減非アクティブ化の１つ又は複数のトリガーイベント発生後に前記ＵＥにおいてローカルでアクティブにされる場合、かつ前記シグナリング低減機能の前記非アクティブ化トリガーイベントが前記ソースＲＡＴにおける前記ＵＥコンテキスト変更にのみ対応する場合、前記ＵＥはＴＩＮパラメーターを前記非アクティブな状態に対応する値にセットすることによって前記シグナリング低減機能をローカルで非アクティブにし、前記登録更新の必要性を有効にする。そして、前記ＲＡＴ間切り換え後、前記ＵＥは、前記登録更新の必要性を取り消すために前記シグナリング低減機能をアクティブに維持する。
【００４３】
双方の場合に、本発明による方法は、前記登録更新の必要性を取り消すか又は有効にした後に前記ＴＩＮパラメーターを再セットする、ステップを含む。
【００４４】
本発明の特定の実施態様では、前記ソース電気通信ネットワークはＥ−ＵＴＲＡＮ  ＲＡＴを有する３ＧＰＰ発展型パケットシステムコアネットワーク（それぞれＧＥＲＡＮ  ＲＡＴ又はＵＴＲＡＮ  ＲＡＴを有する３ＧＰＰ  ＧＰＲＳコアネットワーク）であり、前記ターゲット電気通信ネットワークはＧＥＲＡＮ  ＲＡＴ又はＵＴＲＡＮ  ＲＡＴを有する３ＧＰＰ  ＧＰＲＳコアネットワーク（それぞれＥ−ＵＴＲＡＮ  ＲＡＴを有する３ＧＰＰ発展型パケットシステムコアネットワーク）である。
【００４５】
好ましくは、本発明による方法は、前記パラメーターを、次のＩＲＡＴ切り換え時の登録更新の必要性が生じる前記シグナリング低減機能の前記非アクティブ化トリガーイベントが、前記ソースＲＡＴにおける前記ＵＥコンテキスト変更のみに対応することを示す値にセットするステップを含み、前記非アクティブ化トリガーイベントは、
−さらなるベアラの変更又はアクティブ化、
−前記ソースＲＡＴ  ＣＮノードを前記ＵＥ固有のＤＲＸパラメーターの変更に関して更新し、他方のＲＡＴにおける前記ＣＮノードが次のＩＲＡＴ切り換え時に更新されることを保証すること、
−前記ソースＲＡＴ  ＣＮノードを前記ＵＥコアネットワーク機能の変更に関して更新し、他方のＲＡＴにおける前記ＣＮノードも次のＩＲＡＴ切り換え時に更新されることを保証すること、
の結果生じても良い。
【００４６】
本発明の第１の変形形態の特定の実施態様では、前記ＵＥがＧＥＲＡＮ／ＵＴＲＡＮとＥ−ＵＴＲＡＮとの間で以前に登録されたエリアへのシステム間ハンドオーバーを実行し、かつ該ＵＥが、ＧＥＲＡＮ／ＵＴＲＡＮにおけるＰＤＰコンテキスト（それぞれＥ−ＵＴＲＡＮにおけるＥＰＳベアラコンテキスト）のアクティブ化又は変更、ＵＥ固有のＤＲＸパラメーター又はＵＥコアネットワーク機能パラメーターの変更に伴うＧＥＲＡＮ／ＵＴＲＡＮにおけるルーティングエリア更新（それぞれＥ−ＵＴＲＡＮにおけるトラッキングエリア更新）の結果としてのみローカルでＩＳＲを非アクティブにした場合、前記ＵＥは該ＵＥのＴＩＮを「ＲＡＴ関連ＴＭＳＩ」にセットすることによってＩＳＲをローカルで再アクティブにする。
【００４７】
そして、本発明の第２の変形形態の特定の実施態様では、前記ＲＡＴ間切り換えを生じたイベントが新たなエリアへのハンドオーバー又はアイドルモードセル再選択である場合、かつ前記シグナリング低減機能の前記非アクティブ化トリガーイベントがＧＥＲＡＮ／ＵＴＲＡＮにおけるＰＤＰコンテキスト（それぞれＥ−ＵＴＲＡＮにおけるＥＰＳベアラコンテキスト）のアクティブ化又は変更、ＵＥ固有のＤＲＸパラメーター又はＵＥコアネットワーク機能パラメーターの変更に伴うＧＥＲＡＮ／ＵＴＲＡＮにおけるルーティングエリア更新（それぞれＥ−ＵＴＲＡＮにおけるトラッキングエリア更新）にのみ対応する場合、ＵＥはＩＳＲをローカルで非アクティブにし、これにより登録を開始する。
【００４８】
本発明による方法は、ソースＲＡＴを有するソース電気通信コアネットワークによってカバーされているソースエリアと、ターゲットＲＡＴを有するターゲットコア電気通信ネットワークによってカバーされているターゲットエリアとの間のＲＡＴ間切り換えによって生じるモビリティシグナリングを低減する手段を備えるユーザー機器（ＵＥ）であって、
ａ．その値が、次のＩＲＡＴ切り換え時の登録更新の必要性を生じるシグナリング低減機能の前記非アクティブ化トリガーイベントが前記ソースＲＡＴにおける前記ＵＥコンテキスト変更のみに対応するか否かを示すパラメーターを格納する手段と、
ｂ．ＲＡＴ間切り換えを生じたイベントをチェックする手段と、
ｃ．前記格納されたパラメーターの前記値をチェックする手段と、
ｄ．前記ＲＡＴ間切り換えを生じたイベント及び前記格納されたパラメーターの値に依拠して、前記登録更新の必要性を取り消すか又は該登録更新の必要性を有効にする手段と、
をさらに備える、ユーザー機器によって実施される。
【００４９】
本発明により、ＵＥが一方のＲＡＴ（ＧＥＲＡＮ／ＵＴＲＡＮ、それぞれＥ−ＵＴＲＡＮ）から他方のＲＡＴ（Ｅ−ＵＴＲＡＮ、それぞれＧＥＲＡＮ／ＵＴＲＡＮ）へ、既に登録されたエリア（ＵＥ内に格納されたＴＡＩリストに含まれるトラッキングエリア、それぞれＵＥに格納されたルーティングエリア）へのシステム間ハンドオーバーを実行し、かつ他方のＲＡＴにおける前記ＣＮノードも次のＩＲＡＴ切り換え時に更新されることを保証するために次のＩＲＡＴ切り換え時の登録更新の必要性を生じる前記シグナリング低減機能非アクティブ化のトリガーイベントが、ＵＥコンテキスト変更（ベアラコンテキストアクティブ化若しくは変更（ＰＤＰコンテキスト、それぞれＥＰＳベアラコンテキスト）、又はＵＥ固有のＤＲＸパラメーター若しくはＵＥネットワーク機能パラメーターの変更に伴うルーティングエリア更新（それぞれトラッキングエリア更新））のみに対応する場合、前記ＵＥは登録更新の必要性を取り消し、それによって該ＵＥにおいて前記シグナリング低減アクティブ状態をサイレントに回復する。前記ＩＲＡＴ切り換えがアイドルモードセル再選択又は新たなエリアへのハンドオーバーである場合、ＵＥは前記登録の必要性を有効にし、登録更新シグナリング手順を開始する。
【００５０】
前記シグナリング低減アクティブ状態の回復は、前記ＵＥによって、前記ネットワークとピアツーピアシグナリングを行うことなく自律的に実行される。
【００５１】
本発明による方法は、関連技術と比較してより良好なシグナリング低減を達成し、それによって、前記端末における処理及び前記ネットワークに伴うシグナリング負荷の低減を可能にする。
【００５２】
さらに、前記ＵＥ及び前記ネットワークが他の標準的なトリガー（たとえば周期タイマーが満了するか、又はまだ登録されていない新たなエリアに入った）に起因してシグナリングを交換する必要がある場合、本発明による方法は、以前に前記ＵＥ及び前記ネットワークに格納された前記ターゲットＲＡＴからのセキュリティコンテキスト（すなわちネイティブセキュリティコンテキスト’）を迅速に再利用することを可能にする。これはＩＳＲがアクティブにされるときの従来技術による標準的な挙動である。
【００５３】
このため、ＵＥが標準的なトリガーに起因する前記ＩＲＡＴハンドオーバー後に登録手順を開始する場合、第１のメッセージは迅速にネイティブセキュリティコンテキストとの整合性が保護される。
【００５４】
さらに、前記ＵＥからの前記第１の登録更新は、トリガーされると、前記ターゲットＲＡＴからのＵＥアイデンティティ（古いアイデンティティ）を含むことに留意されたい。これによって、ＩＳＲが非アクティブにされるときに従来技術に必要とされる前記ＵＥにおける前記アイデンティティのマッピングは回避される。
【００５５】
本発明による方法がなければ、以前に登録されたエリアへのＩＲＡＴハンドオーバー時にシグナリングを低減する機会が失われ、本発明による方法を実施しないＵＥは、以前のローカルＩＳＲ非アクティブ化に起因して他方のＲＡＴに戻るときに登録手順を開始する。この場合、前記シグナリングは低減しない。
【００５６】
さらに、前記ＵＥは前記ソースＲＡＴからのセキュリティコンテキスト（すなわちマッピングされたセキュリティコンテキスト）を用いて、前記ターゲットＲＡＴにおける前記第１のメッセージ（登録エリア更新要求）の整合性を保護する。次に、ネットワークはさらなるシグナリング手順を用いて前記ＵＥとの前記ネイティブセキュリティコンテキストをアクティブにし、これによって本発明による方法と共に用いられる前記シグナリングと比較して、前記ＵＥとの前記シグナリングが低速になる可能性がある。
【００５７】
本発明を実装しない前記ＵＥからの前記第１の登録更新要求は、前記ターゲットＲＡＴの前記ＵＥアイデンティティにマッピングされた前記ソースＲＡＴからの前記ＵＥアイデンティティ（古いアイデンティティ）を前記ターゲットＲＡＴの追加のアイデンティティと共に含むことに留意されたい。
【００５８】
上記の概要及び以下の詳細な説明は、本発明の例示的な実施形態を示す添付の図面と併せて読んだときにより良く理解される。
【図面の簡単な説明】
【００５９】
【図１】上記で説明した、ＵＥが登録エリア内でＥＵＴＲＡＮとＧＥＲＡＮ／ＵＴＲＡＮとの間で再選択したときの二重登録、二重ページング、登録更新の低減に関する関連技術によるアイドルモードシグナリング低減原理を概略的に示す図である。
【図２】上記で説明した、アイドルモードにおけるＲＡＴ間切り換え後のＭＭＥとＳＧＳＮ  ＵＥとの間の関連技術によるＵＥコンテキスト転送及びＩＳＲアクティブ化ネゴシエーションを概略的に示す図である。
【図３】上記で説明した、アイドルモードにおける関連技術によるＵＥコンテキスト（再）同期原理を概略的に示す図である。
【図４】上記で説明した、接続モード（ＩＲＡＴハンドオーバー）におけるＵＥコンテキスト（再）同期原理を概略的に示す図である。
【図５】上記で説明した、接続モードにおけるシグナリング低減の従来技術による制限を概略的に示す図である。
【図６】本発明によるシグナリング低減の改善を概略的に示す図である。
【図７】本発明による次のＩＲＡＴ切り換え時の登録の必要性を管理するための方法のステップを示すフローチャートである。
【図８】本発明の第１の変形形態による方法のステップを示すフローチャートである。
【図９】本発明の第２の変形形態による方法のステップを示すフローチャートである。
【発明を実施するための形態】
【００６０】
本発明を、その一実施態様を示す図６〜図９を参照することにより、ソースアクセスネットワーク（ＲＡＴ）６（たとえばＬＴＥネットワーク）を有するソース移動電気通信ネットワークのソースＣＮノード４（たとえばＭＭＥ）、ターゲットアクセスネットワーク（ＲＡＴ）１０（たとえば２Ｇ／３Ｇネットワーク）を有するターゲット移動電気通信ネットワークのターゲットＣＮノード８（たとえばＳＧＳＮ）を含むシステムにおいて説明する。
【００６１】
移動電話等のユーザー機器２は、接続モードにおいて、ＬＴＥネットワーク６によってカバーされるエリアから２Ｇ／３Ｇ１０によってカバーされるエリアにローミングしている。
【００６２】
ユーザー機器２、ソース移動電気通信ネットワーク４、及びターゲット移動電気通信ネットワーク２Ｇ／３Ｇ１０の全てがＩＳＲ手順（アイドルモードシグナリング低減）をサポートすると仮定する。
【００６３】
３ＧＰＰ２３．４０１ｖ８．４．０（セクション４．３．５．６及び付録Ｊ．２）は、ＩＳＲのステータスを格納するためのＴＩＮパラメーターを以下のように規定した。
ＩＳＲがアクティブ状態にあるとき、ＴＩＮパラメーターは値「ＲＡＴ関連ＴＭＳＩ」を有する。
ＩＳＲが非アクティブ状態にあるとき、ＴＩＮパラメーターは、ＬＴＥにおいて値「ＧＵＴＩ」を有し、２Ｇ又は３Ｇアクセスにおいて値「ＰＴＭＳＩ」を有する。
【００６４】
本発明によるＩＳＲ手順を効率的に制御するために、ＩＳＲを非アクティブにするための１つ又は複数のトリガーイベントがソースＲＡＴにおいて発生し、次のＩＲＡＴ切り換え時の登録更新の必要性が生じる場合に、これらのトリガーイベントがＵＥとソースコアネットワーク要素とターゲットコアネットワーク要素との間で共有されるＵＥコンテキストのパラメーターの変更にのみ対応するか否かを示すように、調整可能なパラメーターＮＦＲ−ｓｙｎｃがＵＥ２においてプログラムされる。
【００６５】
このパラメーターは、ＩＳＲ非アクティブ化トリガーイベントに起因して次のＩＲＡＴ切り換え時に登録更新が必要とされる場合、該登録更新は、ターゲットＲＡＴにおけるＣＮノードが、そのＵＥコンテキストがソース移動ネットワークのコアネットワーク要素において変更されたＵＥコンテキストと同期するように更新されることを保証する目的のみで必要とされることを同等に意味する。
【００６６】
パラメーターＮＦＲ−ｓｙｎｃは、ＩＳＲを非アクティブにするための１つ又は複数のトリガーイベントがソースＲＡＴ内で発生し、次のＩＲＡＴ切り換え時の登録更新の必要性が生じたこと、かつこれらのトリガーイベントがＵＥコンテキスト変更にのみ対応することを示すために、値ＴＲＵＥを有することができる。この値は、次のＩＲＡＴ切り換え時の登録更新が必要とされるが、この登録更新は、ソースコアネットワーク要素内に格納されている変更されたＵＥコンテキストを、ターゲットＲＡＴにおける登録更新中にターゲットコアネットワーク要素に転送することによって、該ターゲットＣＮ要素内に格納されているＵＥコンテキストの再同期をトリガーするためにのみ必要とされることを意味する。
【００６７】
パラメーターＮＦＲ−ｓｙｎｃは、ＩＳＲを非アクティブにするためのトリガーイベントがソースＲＡＴにおいて発生していないこと、又は単なるＵＥコンテキスト変更とは異なる、ＩＳＲを非アクティブにするための少なくとも１つのトリガーがソースＲＡＴにおいて発生したことを示すために、値ＦＡＬＳＥを有することができる。ＩＳＲ非アクティブ化トリガーイベントがＵＥコンテキストパラメーターを変更し、ＣＮノード要素を再同期するために次のＩＲＡＴ切り換え時の登録更新の必要性が生じたが、ＵＥコンテキスト再同期と異なる何らかのさらなる目的で次のＩＲＡＴ切り換え時の登録更新の必要性も生じた場合、ＮＦＲ−ｓｙｎｃパラメーターもＦＡＬＳＥに再セットされる。たとえば、パラメーターＮＦＲ−ｓｙｎｃは、ターゲットＲＡＴにおける登録更新がネットワーク内にＳＧインターフェースを作成することを目指していることから、回路スイッチドメインにおけるＭＳＣ  ＣＮノードに対するロケーションエリア更新後にＦＡＬＳＥに再セットされるか、又は、ＵＥコンテキストが削除されることから、ＩＳＲ非アクティブ化タイマーが満了する時にＦＡＬＳＥに再セットされる。
【００６８】
図６において、ＩＳＲ手順がアクティブにされ、ＵＥ２がＭＭＥ４によって保持されるトラッキングエリアのリスト及びＳＧＳＮ８によって保持されるルーティングエリアに同時に登録されると仮定する。ソースＲＡＴ  ＭＭＥ４におけるコンテキスト変更（矢印３０）は、ＵＥ２がＬＴＥネットワーク６内にある間、ＵＥ２におけるＩＳＲ手順の非アクティブ化をトリガーする。
【００６９】
ＵＥ２が２Ｇ／３Ｇネットワークに移動し、ＩＲＡＴ切り換えがハンドオーバーであること、及びターゲットセルがネットワークに既に登録されたエリアに属すること、及びソースＲＡＴにおけるＩＳＲ非アクティブ化トリガーイベントがＵＥコンテキストの変更にのみ対応することをＵＥ２が認識すると、該ＵＥはターゲットＲＡＴにおける登録の必要性を取り消す。このため、登録更新の他の標準的なトリガーが適用されない場合、登録更新はターゲットＲＡＴにおいて回避され、これによって図５の方法を実装しないＵＥと比較してシグナリング低減が最適化される。
【００７０】
図７は本発明の主要概念を示している。
【００７１】
ＵＥ２がソースネットワークＬＴＥ６（それぞれ２Ｇ３Ｇ１０）のセルにとどまり、ＭＥＥ４（それぞれＳＧＳＮ８）に登録されており（ステップ４０）、ソース移動電気通信ネットワークＭＭＥ４（それぞれＳＧＳＮ８）が「ＩＳＲがアクティブである」ことを示したと仮定する。
【００７２】
２つの状況が発生し得る。第１の状況では、ステップ４２において、アイドルモードではＩＲＡＴセル再選択を介して、又は接続モードではＩＲＡＴハンドオーバーを介してＲＡＴ間切り換えが発生する。
【００７３】
第２の状況では、ＩＳＲ非アクティブ化ステップ５０をトリガーする１つ又は複数のイベントが発生する。このイベントは、ネットワークによる明示的なＩＳＲ非アクティブ化である場合もあるし、ＵＥによるローカルのＩＳＲ非アクティブ化トリガーイベントの場合もある。
【００７４】
第２の状況では、ネットワークによる明示的なＩＳＲ非アクティブ化又はＵＥによるローカルのＩＳＲ非アクティブ化（ステップ５０）の後、ＵＥ２はステップ５２において、シグナリング低減方式の非アクティブ化に起因して次のＩＲＡＴ切り換え時に登録更新が必要であることを記憶する。
【００７５】
ステップ５４において、ＵＥ２はＩＳＲ非アクティブ化をトリガーしたイベントを確定する。
【００７６】
上記イベントがＵＥ２及びソースＲＡＴ４のＣＮノードにおけるＵＥコンテキスト変更のみである場合、かつＩＳＲ非アクティブ化の他のトリガーが発生しない場合（矢印５６）、ＵＥ２は内部パラメーターＮＦＲ−ｓｙｎｃ＝ＴＲＵＥをセットして（ステップ５８）、ＩＳＲ非アクティブ化トリガーによって生じた次のＩＲＡＴ切り換え時の登録更新の必要性が、ＵＥコンテキストの変更のみに起因するものであることを記憶し、ステップ４２〜ステップ１００を実行する。
【００７７】
ＩＳＲ非アクティブ化がＵＥ２及びソースＲＡＴ４のＣＮノードにおけるＵＥコンテキスト変更のみとは異なる何らかの他のイベントによってトリガーされた場合（矢印６０）、ステップ６２において、ＵＥ２は内部パラメーターＮＦＲ−ｓｙｎｃ＝ＦＡＬＳＥをセットして、ＩＳＲ非アクティブ化トリガーによって生じた次のＩＲＡＴ切り換え時の登録更新の必要性が、ＵＥコンテキストの変更のみでない別のトリガーに起因することを記憶し、ステップ４２〜ステップ１００を実行する。
【００７８】
双方の状況について、ステップ４２において、ＵＥはアイドルモードセル再選択又はハンドオーバーであり得るＩＲＡＴ切り換えを実行する。次に、ＵＥ２は、ＩＲＡＴ切り替えがアイドルモードにおけるセル再選択に起因するか、又は接続モードにおけるＩＲＡＴハンドオーバーに起因するかを検証する（ステップ７０）。
【００７９】
ＩＲＡＴ切り換えがアイドルモードにおけるセル再選択に起因する場合（矢印７２）、ＵＥ２は、ＩＳＲ状態を、ＩＳＲ非アクティブと異なる値が格納されている場合にＩＳＲ非アクティブに更新することによって登録更新を開始する必要性を有効にする（ステップ７４）。
【００８０】
ＩＲＡＴ切り換えが接続モードにおけるハンドオーバーに起因する場合（矢印７６）、ステップ７８において、ＵＥ２はターゲットセルが以前に登録されたエリアに属するか否かを検査する。
【００８１】
ターゲットセルが以前に登録されたエリアに属しない場合（矢印８０）、ＵＥ２はステップ７４を実行する。
【００８２】
そうでない場合（矢印８２）、ＵＥ２はＮＦＲ−ｓｙｎｃパラメーターの値を読み取る（ステップ８４）。
【００８３】
ＮＦＲ−ｓｙｎｃ＝ＦＡＬＳＥ（矢印８６）の場合、ＵＥ２はステップ７４を実行する。
【００８４】
ＮＦＲ−ｓｙｎｃ＝ＴＲＵＥ（矢印８８）の場合、ＵＥ２は登録更新を開始する必要性を取り消す。ＵＥ２は、ＩＳＲ状態を、ＩＳＲアクティブと異なる値が格納されている場合、ＩＳＲアクティブに更新する（ステップ９０）。
【００８５】
ステップ７４又はステップ９０のそれぞれの後、ＵＥ２は内部パラメーターＮＦＲ−ｓｙｎｃ＝ＦＡＬＳＥを再セットし（ステップ９２）、ステップ９４において、ＩＳＲ状態ＴＩＮパラメーターの値を検証する。
【００８６】
ＩＳＲ状態が非アクティブである、すなわちＴＩＮ＝「ＧＵＴＩ」又は「ＰＴＭＳＩ」である場合（矢印９４）、ＵＥ２はステップ９８において登録更新を開始する。
【００８７】
ＩＳＲ状態がアクティブである、すなわちＴＩＮ＝ＲＡＴ関連ＴＭＳＩである場合（矢印９９）、他の標準的なＲＡＵ／ＴＡＵトリガー条件が満たされていないとき、ＵＥ２はステップ１００において示されるように登録更新を省く。
【００８８】
図８は、ソースＲＡＴにおけるＵＥコンテキスト変更時にリアルタイムＩＳＲローカル非アクティブ化を用いる本発明の一実施形態を示している。この場合、図７の全てのステップは同様に実行されるが、ステップ５２が新たなステップ５１に置き換えられ、該ステップにおいてＵＥ２がソースＲＡＴにとどまっている間に、たとえばＧＥＲＡＮ／ＵＴＲＡＮにおいて該ＵＥのＴＩＮを「ＰＴＭＳＩ」にセットし、ＥＵＴＲＡＮにおいて「ＧＵＴＩ」にセットすることによってＩＳＲ機能をローカルで非アクティブにし、ステップ７４及びステップ９０がそれぞれステップ７３及びステップ８９に置き換えられる点が異なる。ステップ７３において、ＵＥ２は、ＴＩＮを「ＧＵＴＩ」又は「ＰＴＭＳＩ」に維持することによってＩＳＲ非アクティブ状態を維持し、ステップ８９において、ＵＥ２は、たとえば該ＵＥのＴＩＮパラメーターを「ＲＡＴ関連ＴＭＳＩ」にセットすることによってＩＳＲ機能をローカルで再アクティブにする。
【００８９】
図９は、ソースＲＡＴにおけるＵＥコンテキスト変更時に延期されたＩＳＲローカル非アクティブ化を用いる本発明の一実施形態を説明している。この実施形態では、図７の全てのステップは同様に実行されるが、ステップ５２が新たなステップ５３に置き換えられ、該ステップにおいて、ＵＥが、たとえば該ＵＥのＴＩＮを「ＲＡＴ関連ＴＭＳＩ」に維持することによってアクティブ状態におけるＩＳＲ機能を保ち、ステップ７４及びステップ９０がそれぞれステップ７５及びステップ９１に置き換えられる点が異なる。
【００９０】
ステップ７５において、登録更新がソースＲＡＴ４におけるＵＥコンテキスト変更の結果としてのみ必要となる場合（ＮＦＲ−ｓｙｎｃ＝ＴＲＵＥ）、ＵＥ２は該ＵＥのＴＩＮを、ＧＥＲＡＮ／ＵＴＲＡＮに由来する場合にＴＩＮを「ＰＴＭＳＩ」にセットし、ＥＵＴＲＡＮに由来する場合に「ＧＵＴＩ」にセットすることによって、ＩＳＲローカル非アクティブ化を適用する。
【００９１】
ステップ９１において、ＵＥ２は、たとえば該ＵＥのＴＩＮパラメーターを「ＲＡＴ関連ＴＭＳＩ」に維持することによってＩＳＲ機能をアクティブに維持する。
【図１】
0005681873.tif 000002
【図２】
0005681873.tif 000003
【図３】
0005681873.tif 000004
【図４】
0005681873.tif 000005
【図５】
0005681873.tif 000006
【図６】
0005681873.tif 000007
【図７】
0005681873.tif 000008
【図８】
0005681873.tif 000009
【図９】
0005681873.tif 000010